【手続補正書】
【提出日】平成17年4月8日(2005.4.8)
【手続補正１】
【補正対象書類名】明細書
【補正対象項目名】００３３
【補正方法】変更
【補正の内容】
【００３３】
図３に示すように、ねじ孔１５の雌ねじ１５ａとアジャストスクリュ１６の外周に形成された雄ねじ１６ａのねじ山は、アジャストスクリュ１６に負荷される押し込み力を受ける圧力側フランク１９ａ、１９ｂのフランク角が遊び側フランク２０ａ、２０ｂのフランク角より大きい鋸歯状とされ、その鋸歯状ねじ山に前記弾性体１７の押圧によってアジャストスクリュ１６が回転しつつ軸方向に移動するリード角が設けられている。
【手続補正２】
【補正対象書類名】明細書
【補正対象項目名】００３４
【補正方法】変更
【補正の内容】
【００３４】
上記の構成から成るラッシュアジャスタＡの動弁装置への組込みにおいて、シリンダヘッドＢの熱膨張等によってバルブステム２とアジャストスクリュ１６間にバルブクリアランスが生じると、弾性体１７の押圧によってアジャストスクリュ１６が遊び側フランク２０ａに沿って回転しつつ軸方向に移動して上記バルブクリアランスを吸収する。
【手続補正３】
【補正対象書類名】明細書
【補正対象項目名】００３５
【補正方法】変更
【補正の内容】
【００３５】
また、アジャストスクリュ１６がバルブステム２によって押し込み力を受けると、雌ねじ１５ａと雄ねじ１６ａのねじ係合部に形成された軸方向のねじ隙間をつめるまでアジャストスクリュ１６が後退し、さらに押し込み力がかかると、互いに圧接する圧力側フランク１９ａ、１９ｂにより上記押し込み力を受けてアジャストスクリュ１６が回転しつつ後退動するのを防止する。
【手続補正４】
【補正対象書類名】明細書
【補正対象項目名】００３８
【補正方法】変更
【補正の内容】
【００３８】
すなわち、アジャストスクリュ１６の雄ねじ１６ａにおける圧力側フランク１９ｂは雌ねじ１５ａの圧力側フランク１９ａに圧接する作動と、その圧力側フランク１９ａ、１９ｂが離反する作動とを繰り返し行う。このとき、圧力側フランク１９ａ、１９ｂ間に潤滑油が介在し、その潤滑油が圧力側フランク１９ａ、１９ｂ間より迅速に排除されない場合には、従来の技術の項で述べたように、圧力側フランク１９ａ、１９ｂが接近する方向にアジャストスクリュ１６が移動した際に、アジャストスクリュ１６が回転しつつ後退動してバルブリフト量が低下する等の問題が生じる。
【手続補正５】
【補正対象書類名】明細書
【補正対象項目名】００４１
【補正方法】変更
【補正の内容】
【００４１】
図５（II）では、ナット部材１４の雌ねじ１５ａにおけるねじ山の圧力側フランク１９ａに凹凸部として複数の螺旋状溝２２を形成している。
【手続補正６】
【補正対象書類名】明細書
【補正対象項目名】００４２
【補正方法】変更
【補正の内容】
【００４２】
さらに、図５（III ）では、ナット部材１４の内周に図５（Ｉ）で示す場合と同様に雌ねじ１５ａのねじ山を周方向に分断する複数の軸方向溝２１を形成し、その軸方向溝２１によって分断されたねじ山の圧力側フランク１９ａに凹凸部としての複数の螺旋状溝２２を設けている。
【手続補正７】
【補正対象書類名】明細書
【補正対象項目名】００４４
【補正方法】変更
【補正の内容】
【００４４】
一方、図６（Ｉ）では、アジャストスクリュ１６の雄ねじ１６ａにおける圧力側フランク１９ｂにショットピーニング加工を施して凹凸部としての梨地状面２３を形成している。
【手続補正８】
【補正対象書類名】明細書
【補正対象項目名】００４６
【補正方法】変更
【補正の内容】
【００４６】
図６（II）では、雄ねじ１６ａの圧力側フランク１９ｂに凹凸部としての複数の螺旋状溝２４を形成している。この螺旋状溝２４は、転造により形成してもよく、あるいは切削により形成してもよい。螺旋状溝２４の深さは、図５（II）、（III）に示される場合と同様に、０．１〜０．５ｍｍ程度が好ましい。
【手続補正９】
【補正対象書類名】明細書
【補正対象項目名】００４８
【補正方法】変更
【補正の内容】
【００４８】
さらに、図６（IV）では、図６（III）で示す場合と同様に、アジャストスクリュ１６の雄ねじ１６ａを周方向に分断する複数の軸方向溝２５を形成し、その軸方向溝２５によって分断されたねじ山の圧力側フランク１９ｂに凹凸部としての複数の螺旋状溝２４を設けている。
【手続補正１０】
【補正対象書類名】明細書
【補正対象項目名】００５２
【補正方法】変更
【補正の内容】
【００５２】
上記組み合わせ例のＮｏ．１およびＮｏ．２で示すように、ナット部材１４の雌ねじ１５ａとアジャストスクリュ１６の雄ねじ１６ａのいずれか一方に、ねじ山を周方向に分断する複数の軸方向溝２１、２５を形成し、その軸方向溝２１、２５によって分断されたねじ山の圧力側フランク１９ａ又は１９ｂに螺旋状溝２２、２４を設け、あるいは、Ｎｏ．３〜Ｎｏ．５で示すように、雌ねじ１５ａと雄ねじ１６ａのいずれか一方に、ねじ山を周方向に分断する複数の軸方向溝２１、２５を形成し、他方のねじ山における圧力側フランク１９ａ又は１９ｂに梨地状面２３や螺旋状溝２２、２４を設けることによって、圧力側フランク１９ａ、１９ｂ間に介在する潤滑油をスムーズに確実に排除することができる。
【手続補正１１】
【補正対象書類名】明細書
【補正対象項目名】００５３
【補正方法】変更
【補正の内容】
【００５３】
すなわち、アジャストスクリュ１６が雌ねじ１５ａと雄ねじ１６ａのねじ係合部間に形成されたねじ隙間の範囲内で軸方向に繰り返し移動する定常的な運転状態において、雄ねじ１６ａの圧力側フランク１９ｂが雌ねじ１５ａの圧力側フランク１９ａに向けて移動すると、その移動開始から圧力側フランク１９ａ、１９ｂが互いに接触し始める少し手前の間は、圧力側フランク１９ａ、１９ｂ間の潤滑油は軸方向溝２１、２５に沿ってスムーズに排除されると共に、圧力側フランク１９ａ、１９ｂが接触し始めると、圧力側フランク１９ａ、１９ｂに形成された梨地状面２３あるいは螺旋状溝２２、２４に沿って流れて軸方向溝２１、２５に流れ、その軸方向溝２１、２５から迅速に排除される。
【手続補正１２】
【補正対象書類名】明細書
【補正対象項目名】００５４
【補正方法】変更
【補正の内容】
【００５４】
このように、圧力側フランク１９ａ、１９ｂ間から潤滑油が迅速に、かつ確実に排除されることによって、圧力側フランク１９ａ、１９ｂが互いに圧接する位置までアジャストスクリュ１６を確実に移動させることができ、その圧力側フランク２０の接触によってアジャストスクリュ１６が回転しつつ後退するのを防止することができる。
【手続補正１３】
【補正対象書類名】明細書
【補正対象項目名】００５５
【補正方法】変更
【補正の内容】
【００５５】
また、圧力側フランク１９ａ、１９ｂが接触により摩耗しても、その圧力側フランク１９ａ、１９ｂには梨地状面２３あるいは螺旋状溝２２、２４が形成されているため、一定の粗さが維持される。このため、圧力側フランク１９ａ、１９ｂの接触部での摩擦係数の低下が少なく、圧力側フランク１９ａ、１９ｂの接触部にアジャストスクリュ１６を回り止めするのに充分な摩擦抵抗を得ることができ、安定したバルブリフト量を得ることができる。
【手続補正１４】
【補正対象書類名】明細書
【補正対象項目名】００５６
【補正方法】変更
【補正の内容】
【００５６】
因みに、ナット部材１４のねじ孔１５内周に雌ねじ１５ａのねじ山を周方向に分断する複数の軸方向溝２１を形成し、その軸方向溝２１によって分断されたねじ山の圧力側フランク１９ａに螺旋状溝２２を設けたラッシュアジャスタ、およびナット部材１４の内周に雌ねじ１５ａのねじ山を周方向に分断する複数の軸方向溝２１を設け、アジャストスクリュ１６の雄ねじ１６ａの圧力側フランク１９ｂにショットピーニングを施して梨地状面２３を形成したラッシュアジャスタの耐久的使用後の低温特性試験を行ったところ、図８（ａ）、（ｂ）で示す結果を得た。
【手続補正１５】
【補正対象書類名】明細書
【補正対象項目名】００６０
【補正方法】変更
【補正の内容】
【００６０】
また、図１０（ａ）、（ｂ）は、ナット部材１４の雌ねじ１５ａの圧力側フランク１９ａに複数の螺旋状溝２２のみを形成したラッシュアジャスタの回転数スイープ試験を行った場合の試験結果を示し、図１０（ａ）は常温時の試験結果、図１０（ｂ）は低温時の試験結果を示す。
【手続補正１６】
【補正対象書類名】明細書
【補正対象項目名】００６３
【補正方法】変更
【補正の内容】
【００６３】
これらの結果から明らかなように、ナット部材１４のねじ孔１５に軸方向溝２１を形成し、その軸方向溝２１によって周方向に分断されたねじ山の圧力側フランク１９ａに螺旋状溝２２を形成したラッシュアジャスタ、あるいは、ねじ孔１５に軸方向溝２１を形成し、雄ねじ１６ａのねじ山における圧力側フランク１９ａに梨地状面２３を形成したラッシュアジャスタにおいては、低温時にも油膜が確実に排除され、かつ耐久使用後にも圧力側フランク１９ａの摩擦係数が低下しないで常に安定したバルブリフト特性を得ることが理解できる。
【手続補正１７】
【補正対象書類名】明細書
【補正対象項目名】符号の説明
【補正方法】変更
【補正の内容】
【符号の説明】
１  カム
２  バルブステム
１１  リフタボディ
１２  端板
１５  ねじ孔
１５ａ  雌ねじ
１６  アジャストスクリュ
１６ａ  雄ねじ
１９ａ、１９ｂ  圧力側フランク
２０ａ、２０ｂ  遊び側フランク
２１  軸方向溝
２２  螺旋状溝
２３  梨地状面
２４  螺旋状溝
２５  軸方向溝
【手続補正１８】
【補正対象書類名】図面
【補正対象項目名】図３
【補正方法】変更
【補正の内容】
【図３】
2004019463.tif 000001
【手続補正１９】
【補正対象書類名】図面
【補正対象項目名】図４
【補正方法】変更
【補正の内容】
【図４】
2004019463.tif 000002
【手続補正２０】
【補正対象書類名】図面
【補正対象項目名】図５
【補正方法】変更
【補正の内容】
【図５】
2004019463.tif 000003
【手続補正２１】
【補正対象書類名】図面
【補正対象項目名】図６
【補正方法】変更
【補正の内容】
【図６】
2004019463.tif 000004